(57)【特許請求の範囲】
【請求項１】
ヘッドボックス（１０）から垂下されるスラット（１８）が昇降コード（２２）により昇降可能に支持された横型ブラインドであって、
ヘッドボックスの左右方向の両端部の少なくとも一端部において、ヘッドボックスの下方に所定距離だけ垂下する垂下片（１１１）が形成される横型ブラインド。
【請求項２】
前記垂下片は、前後方向及び上下方向に延在する板状の部材であり、前記ヘッドボックスの他端部側の面において、該面に対して垂下片の下端を頂点としてヘッドボックスの他端部側に傾斜する傾斜面（１１２）が形成されることを特徴とする請求項１に記載の横型ブラインド。
【請求項３】
前記垂下片は、前記ヘッドボックスの両端部のそれぞれに形成されており、２つの垂下片の下端間の距離は前記スラットの左右方向の長さより大きいことを特徴とする請求項２に記載の横型ブラインド。
【請求項４】
前記ヘッドボックスは両端部が開口されており、
前記垂下片はヘッドボックスの端部の開口を塞ぐように該ヘッドボックスに装着されるヘッドボックスキャップ（１１）に形成されることを特徴とする請求項１〜請求項３のいずれか一項に記載の横型ブラインド。
【発明の詳細な説明】
【技術分野】
【０００１】
本発明は、横ずれが生じたスラットを整列する横型ブラインドに関する。
【背景技術】
【０００２】
従来、スラットを閉状態とした際の遮光性やデザイン性などを向上させるため、スラットに昇降コードを挿通させるための孔を形成する代わりに、スラットの長手方向におけるラダーコードによる支持位置においてスラットの側縁に切欠を形成した横型ブラインドが知られている。また、この横型ブラインドにおいて、ラダーコードにおける２つの垂直コード間に亘って上下に平行に配設された２本の中段コードの上下関係を逆にして中段コード間にスラットを挟み、中段コード端部における交差部分を切欠に係合させるものや、ラダーコードにおける２つの垂直コード間に亘って予め上下に交差するように配設された２本の中段コード間にスラットを通し、交差部分を切欠に係合させることによって、スラットの長手方向の移動を規制するようになっているものがある。
【０００３】
このような横型ブラインドにおいて、前者の構造では、スラットを畳み込み状態とした際に中段コードの垂直コードが横たわることによって、２本の中段コードの上下関係が元の状態、即ち上下に平行な状態となることがあり、この際にスラットが昇降されることによって、切欠と中段コードとの係合が解除されて、スラットが長手方向に移動し得る状態となり、スラットの横ずれが生じることがあり、後者の構造でも同様に、２本の中段コードが弛むことで切欠と中段コードとの係合が解除されて、スラットが長手方向に移動し得る状態となり、スラットの横ずれが生じることがある。
【０００４】
このような事情に対し、上下に交差した中段コード間に昇降コードを挿通してスラットの切欠内に配置し、昇降コードを切欠に係合させてスラットの長手方向の移動を規制することによって、スラットの横ずれを低減する横型ブラインドが知られている（特許文献１参照）。
【先行技術文献】
【特許文献】
【０００５】
【特許文献１】特開２０１１−２５２２６５号公報
【発明の概要】
【発明が解決しようとする課題】
【０００６】
しかしながら、昇降コードを切欠内に配置した横型ブラインドによれば、スラットの横ずれを低減することはできるものの、昇降コードが中段コード間に挿通されているため、スラットの昇降に伴うラダーコードの状態の変化によって昇降コードとスラットの切欠との係合が解除される場合がある。つまり、横型ブラインドにおいて、スラットの横ずれを完全に防止することが困難である、という問題がある。この横ずれによれば、横型ブラインド単体としての美観が損なわれるだけでなく、複数の横型ブラインドを並べて設置する際に、隣り合う横型ブラインド間の距離を横ずれを考慮して空ける必要があり、これによって隣り合う横型ブラインド同士を密接させることができず、外観上好ましくない。
【０００７】
そこで、本発明は、このような問題に鑑みてなされたもので、その目的とするところは、横ずれが生じたスラットを整列することができる横型ブラインドを提供することにある。
【課題を解決するための手段】
【０００８】
上記課題を解決するために、本実施形態における横型ブラインドは、ヘッドボックスから垂下されるスラットが昇降コードにより昇降可能に支持された横型ブラインドであって、ヘッドボックスの左右方向の両端部の少なくとも一端部において、ヘッドボックスの下方に所定距離だけ垂下する垂下片が形成される。
【発明の効果】
【０００９】
本発明によれば、水平方向の横ずれが生じたスラットを整列することができる。
【図面の簡単な説明】
【００１０】
【図１】実施形態に係る横型ブラインドのスラット水平状態を示す正面図である。
【図２】横型ブラインドのスラット全閉状態を示す正面図である。
【図３】スラット水平時の第１昇降ドラム部分の側断面図である。
【図４】昇降コード、ラダーコード及び切欠部の状態を示す平面図である。
【図５】一方の垂下片を示す斜視図である。
【図６】２つの垂下片の配置位置及び形状を示す正面図である。
【図７】垂下片により整列されるスラットの動作を示す正面図である。
【図８】隣接して設置された横型ブラインドの隣接部分を示す正面図である。
【発明を実施するための形態】
【００１１】
以下に添付図面を参照しながら、本発明の好適な実施形態について詳細に説明する。
【００１２】
（横型ブラインドの全体構成）
まず、本実施形態に係る横型ブラインドの全体構成について、図１及び図２を参照しながら説明する。図１は、実施形態に係る横型ブラインドのスラット水平状態を示す正面図である。図２は、横型ブラインドのスラット全閉状態を示す正面図である。図３は、スラット水平時の第１昇降ドラム部分の側断面図である。なお、以降の説明において、ブラインドの長手方向、即ち左右方向を側方、設置されたブラインドを側方から見た場合に、設置面側（例えば窓側）を後側、その逆（例えば室内側）を前側として説明する。
【００１３】
図１及び図２に示すように、本実施形態に係る横型ブラインドは、ブラケット（不図示）等により窓枠等に固定されるヘッドボックス１０、ヘッドボックス１０の両端部に装着される２つのヘッドボックスキャップ１１、ヘッドボックス１０内に回転可能に軸支された回転軸１２、回転軸１２にクラッチを介して一方的に回転力を伝達するプーリ（不図示）に巻き掛けられてこれを回転駆動可能な操作コード１４、ヘッドボックス１０の下方から垂下する３つのラダーコード１６、ラダーコード１６により支持されて遮蔽材として配置される複数のスラット１８、回転軸１２の回転に連動して回転する３個の昇降ドラム２０、各昇降ドラム２０に一端が巻取り及び巻解き可能に連結される３本の昇降コード２２、横型ブラインドの下端に配置されるボトムレール２４を備える。また、ヘッドボックス１０の後方には、ヘッドボックス１０の下方に垂下し、上下方向及び左右方向に延展する板状の遮蔽部１３が形成される。
【００１４】
３個の昇降ドラム２０は、ヘッドボックス１０の左右方向に互いに間隔を空けて設けられており、各昇降ドラム２０は、それぞれ、昇降コード２２の一端が巻取り及び巻解き可能に連結されるドラム部２６と、ドラム部２６を回転自在に支持するとともにヘッドボックス１０に固定されるドラム受け２８とを備える。各昇降ドラム２０には昇降コード２２の一端が巻取り及び巻解き可能に連結される。昇降コード２２の他端は、ヘッドボックス１０から垂下し、スラットの前後方向中心部からオフセットされた位置を通り、ボトムレール２４に連結される。
【００１５】
ボトムレール２４は、昇降ドラム２０に昇降コード２２が巻き取られることによって上昇され、昇降コード２２が巻き解かれることによって下降される。また、ボトムレール２４は、上昇されることにより複数のスラット１８を畳み込んで上昇させ、下降されることにより複数のスラット１８を下降させて展開させる。
【００１６】
３個の昇降ドラム２０のうち、左右方向外側に配置される２つの昇降ドラム２０が第１昇降ドラム２０ａとなっており、左右方向中央に配置される１つの昇降ドラム２０が第２昇降ドラム２０ｂとなっている。ここで、第１昇降ドラム２０ａと第２昇降ドラム２０ｂとは、一端が接続される昇降コード２２の配設において異なっている。３本の昇降コード２２のうち、第１昇降ドラム２０ａに一端が接続された２本の昇降コード２２が第１昇降コード２２ａとなっており、第２昇降ドラム２０ｂに一端が接続された１本の昇降コード２２が第２昇降コード２２ｂとなっている。
【００１７】
各昇降ドラム２０の配置位置からヘッドボックス１０の下方には、ラダーコード１６がそれぞれ垂下しており、各ラダーコード１６は回転軸１２の所定範囲角度の回転に連動して傾動するようになっている。また、ラダーコード１６の傾動によって、ラダーコード１６に支持されるスラット１８が傾動し、横型ブラインドを図１に示すスラット水平状態、図２に示すスラット全閉状態、またはスラット全閉状態とは逆方向にスラットを傾動させたスラット逆全閉状態（不図示）とする。
【００１８】
（ラダーコード及び昇降コード）
次に、ラダーコードの構成及び昇降コードの配設について説明する。図３は、スラット水平時の第１昇降ドラム部分の側断面図である。図４は、昇降コード、ラダーコード及び切欠部の状態を示す平面図である。なお、図３においては横型ブラインドの前方を左側、後方を右側に示す。また、図４においてはスラットの前方を上側、後方を下側に示す。
【００１９】
図３及び図４に示すように、各ラダーコード１６は、ヘッドボックス１０の前後方向に所定間隔を空けてそれぞれ垂下する前後の垂直コード１６ａ及び１６ｂと、上下方向に所定間隔を空けた位置において前後の垂直コード１６ａ及び１６ｂ間に架設される中段コード１６ｃとから成る。各中段コード１６ｃは、さらに、一対の僅かに上下に離れた上下コードとから成る。
【００２０】
ラダーコード１６は、各中段コード１６ｃの上下コードの上下関係を逆にして一対の交叉部分を形成して、その交叉部分の間にスラット１８を挿入することにより、多数のスラット１８を整列状態に支持しており、ラダーコード１６の下端は、最下段に位置するスラット１８の下方に配置されるボトムレール２４に固定される。
【００２１】
第１昇降コード２２ａは、図３に示すように、ヘッドボックス１０から所定段より上までのスラット１８に対しては後側の垂直コード１６ｂに沿って配されており、垂直コード１６ｂの各中段コード１６ｃとの連結部からさらに後方に突出するループ状部１６ｄに挿通されている。また、第１昇降コード２２ａは、所定段以下から下端までのスラット１８に対しては、図４に示すように、スラット１８の後側の側縁に形成された切欠部１８ａ内に挿入され、切欠部１８ａと垂直コード１６ｂとの間を挿通するように配設される。
【００２２】
第２昇降コード２２ｂは、図４に示すように、前段のスラット１８に対して、前側の垂直コード１６ａに沿って配されており、垂直コード１６ａの各中段コード１６ｃとの連結部からさらに前方に突出するループ状部１６ｅに挿通されている。
【００２３】
（ヘッドボックスキャップの構成）
次に、ヘッドボックスキャップの構成について説明する。図５は、一方のヘッドボックスキャップを示す斜視図である。図６は、２つのヘッドボックスキャップの配置位置及び形状を示す正面図である。
【００２４】
ヘッドボックスキャップ１１は、両端部が開口した長尺の箱状に形成されたヘッドボックス１０の両端部の一方の開口を塞ぐヘッドボックスキャップ１１ａと、他方の開口を塞ぐヘッドボックスキャップ１１ｂとを有する。各ヘッドボックスキャップ１１は、ヘッドボックス１０の開口を塞ぐように装着される。
【００２５】
図５に示すように、ヘッドボックスキャップ１１ａは、片面がヘッドボックス１０への装着面となった板状の部材であり、ヘッドボックス１０に装着された状態において、ヘッドボックスの下端から下方に所定距離だけ突出し、横型ブラインドの前後方向及び上下方向に延展する板状に形成された垂下片１１１を有する。垂下片１１１における装着面側には傾斜面１１２が形成されており、この傾斜面１１２は、垂下片１１１の下端から上方へ所定距離だけ延びる面であり、ヘッドボックスキャップ１１ａが装着された状態において、横型ブラインドの上下方向及び前後方向に延びる平面に対して、垂下片１１１の装着面下端を頂点として所定角度だけ傾斜する。つまり、傾斜面１１１は、上方へ向かうほどヘッドボックス１０の長手方向、即ち横型ブラインドの左右方向における内方へ向かって傾斜する。ヘッドボックスキャップ１１ａの装着面側には、この装着面に直行する方向、即ち左右方向に突出してヘッドボックス１０の開口にはめ合わされる嵌合部１１３が形成されており、この嵌合部１１３によってヘッドボックスキャップ１１ａはヘッドボックス１０に装着される。また、ヘッドボックスキャップ１１ｂは、ヘッドボックスキャップ１１ａに対して上下方向を軸として対称な構成となっており、これによって、２つのヘッドボックスキャップ１１がヘッドボックス１０に装着された際、ヘッドボックスキャップ１１ａの装着面とヘッドボックスキャップ１１ｂの装着面とが対向する。
【００２６】
図６に示すように、垂下片１１１は、ヘッドボックス１０下端に対して距離Ｐだけ上下方向下方に突出し、上下方向における傾斜面１１２の下端位置から上端位置までの距離が距離Ｄとなっている。ここで、距離Ｐは、複数のスラット１８が完全に畳み込まれた状態におけるヘッドボックス１０下端から最下段のスラット１８までの距離より大きくすると全てのスラット１８を整列できるために好ましいが、特に横ずれが発生しやすい上から３枚目のスラット１８までの距離より大きくすると良い。また、距離Ｄは、複数のスラット１８が完全に畳み込まれた状態における傾斜面１１２の下端位置から最上段のスラット１８までの距離より大きくすると良い。また、遮蔽部１３は、ヘッドボックス１０下端に対して距離Ｃだけ上下方向下方に突出しており、ここで距離Ｃは、最上段のスラット１８を全閉状態または逆全閉状態とした際のスラット１８の上端に対して遮蔽部１３の下端が同じ高さか下方となるような距離である。
【００２７】
また、２つのヘッドボックスキャップ１１の垂下片１１１における傾斜面１１２の上端位置間の距離を距離Ｗ１、傾斜面１１２の下端位置間の距離を距離Ｗ２とした場合、距離Ｗ１をスラット１８の長手方向長さ即ち左右方向長さと略同様とし、距離Ｗ２をスラット１８の左右方向長さより大きくするように傾斜面１１２を形成するのが望ましい。また、遮蔽部１３の左右方向長さは距離Ｗ１以上であることが望ましく、さらに距離Ｗ２以上であれば遮蔽部１３の左右両側からの光漏れを垂下片１１１によって防ぐことができる。
【００２８】
（垂下片によるスラットの整列動作）
次に、垂下片によるスラットの整列動作について説明する。図７は、ヘッドボックスキャップにより整列されるスラットの動作を示す正面図である。図８は、隣接して設置された横型ブラインドの隣接部分を示す正面図である。なお、図７においては、いくつかのスラットが横ずれした状態の横型ブラインドが示され、横ずれしたスラットには左右方向端部がヘッドボックスの端部から突出するまで横ずれしたスラットも含まれるものとし、以下においては端部から突出したスラットに着目して説明する。
【００２９】
図７（ａ）に示すように、横ずれが生じている複数のスラット１８が上昇されると、図７（ｂ）に示すように、ヘッドボックスの端部から突出したスラット１８’の上面が垂下片１１１の下端部である底面に当接する。この際、スラット１８’の素材が弾性を有する場合、垂下片１１１の底面に当接したスラット１８’は、上昇される力によって当接部分近傍が弾性変形して傾斜した状態で垂下片１１１下端部に当接することとなる。これによって、垂下片１１１に当接したスラット１８’の復元力がこのスラット１８’を左右方向において垂下片１１１との当接部分とは逆方に押し戻されるように作用し、スラット１８’は左右方向における傾斜面１１２の下端位置Ｓまで移動される。
【００３０】
その後、スラット１８’は、図７（ｃ）に示すように、スラット１８’の長手方向端部が傾斜面１１２に当接した状態で上昇されることによって、スラット１８’の端部が傾斜面１１２に案内されて、図７（ｄ）に示すように、端部が傾斜面１１２に沿って左右方向に押し戻されながら左右方向における傾斜面１１２の上端位置Ｇへ向かうようにスラット１８’が移動される。
【００３１】
このように、ヘッドボックス１０の端部に設けられ、傾斜面１１２を有する垂下片１１１によれば、横ずれしたスラット１８を整列させることができる。また、横ずれしたスラット１８を整列させることによって、図８に示すように、複数の横型ブラインドを左右方向に互いに隣接させて配置する場合、複数の横型ブラインドのスラット１８間の間隔を、横ずれを考慮した距離Ｙから、より小さい距離Ｘへと狭めることができる。これによって横型ブラインドを隣接させて配置させた場合の美観を向上させることができ、また、隣接する横型ブラインド間を離間させた場合と比較して遮蔽性を向上させることができる。
【００３２】
また、遮蔽部１３を設けることによって、垂下片１１１を考慮して最上段のスラット１８とヘッドボックス１０との距離を大きくした場合であっても、全閉または逆全閉時に最上段のスラット１８とヘッドボックス１０との間に生じた隙間を遮蔽し、垂下片１１１を形成した横型ブラインドの遮光性を向上させることができる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３４】
例えば、上記実施形態では、弾性を有する薄板のアルミ製スラットとしたが、木製など厚みを有するスラットを用いても同様の効果を得ることができる。
【００３５】
また、例えば、上記実施形態では、垂下片をヘッドボックスキャップに一体に形成したが、ヘッドボックスキャップとは別にヘッドボックスに装着するようにしてもよく、またヘッドボックスに一体的に形成してもよい。
【符号の説明】
【００３６】
１０  ヘッドボックス
１１  ヘッドボックスキャップ
１８  スラット
２２  昇降コード
１１１  垂下片
１１２  傾斜面
【図１】
0006572147.tif 000002
【図２】
0006572147.tif 000003
【図３】
0006572147.tif 000004
【図４】
0006572147.tif 000005
【図５】
0006572147.tif 000006
【図６】
0006572147.tif 000007
【図７】
0006572147.tif 000008
【図８】
0006572147.tif 000009